(57)【要約】【課題】本発明では、ＬＥＤ使用時において規定の色温度および平均演色評価数から外れにくい照明装置を提供することを目的としている。【解決手段】本発明の照明装置は、青色光を放射する発光素子２と、前記青色光と加色混光して、規定値の色温度よりも低い色温度となるとともに黒体輻射の軌跡からの偏差（ｄｕｖ）がプラス（＋）となるように黄色蛍光体および赤色蛍光体を混合することを特徴とする。【選択図】図１
2009260319.tif 000002
【特許請求の範囲】
【請求項１】
青色光を放射する発光素子と、前記青色光と加色混光して、規定値の色温度よりも低い色温度となるとともに黒体輻射の軌跡からの偏差（ｄｕｖ）がプラス（＋）となるように黄色蛍光体および赤色蛍光体を混合することを特徴とする照明装置。
【請求項２】
前記規定値の色温度よりも低い色温度および偏差（ｄｕｖ）のプラス（＋）は規定値の色温度に応じて異なることを特徴とする請求項１記載の照明装置。
【請求項３】
青色光を放射する発光素子と；
発光素子から放射された青色光によって励起されて黄色光を発光する黄色蛍光体と；
発光素子から放射された青色光によって励起されて赤色光及び／又は緑色光を発光する第二蛍光体と；
発光素子から放射された青色光、黄色蛍光体から発光された黄色光及び第二蛍光体から発光された放射光により色温度が２８００Kから７２００Kの範囲における所定色温度で設定される白色光と：
を備える照明装置であって、
前記白色光は、発光素子のジャンクション温度がプラス側へ変化すると色温度もプラス側に変化するように設けられ、
前記白色光は、発光素子のジャンクション温度がプラス側へ変化すると黒体放射の軌跡からの偏差はマイナス側に変化するように設けられ、
前記白色光は、発光素子のジャンクション温度が０度以上の任意値であるときに前記所定色温度となるように設けられることを特徴とする照明装置。
ことを特徴とする照明装置。
【発明の詳細な説明】
【技術分野】
【０００１】
本発明は、発光ダイオードなどの照明装置に関する。 
【背景技術】
【０００２】
発光ダイオード（ＬＥＤ：Light
Emitting Diode）を照明用として使用する場合には、
【０００３】
ＬＥＤの特性として、高い発光効率に加え、幅広い色温度、色の見え方の指標としての演色性、特に平均演色評価数Ｒａが要求される。この演色性は、蛍光ランプ等と比較して差異がないようＲａ８０〜８５やＲａ９０以上などのラインナップが求められている。なお、演色性は、自然光に近い照明を基準光にして光源による色の見え方を評価したものであり、ＪＩＳに定められている試験色を、試料光源と基準光でそれぞれ照明したときの色ずれの大きさを数値化したものが演色評価数である。
【０００４】
そして、演色評価数には、平均演色評価数Ｒａと特殊演色評価数Ｒｉがあり、平均演色評価数Ｒａは、試験Ｎｏ．１〜８の演色評価数値の平均値として表される。特殊演色評価数Ｒｉは、試験Ｎｏ．９〜１５の個々の特殊演色評価数値として表される。演色評価指数Ｒａは、基準光源である白色光源による色彩を忠実に再現しているかを指数で表したもので、原則として１００に近いほど演色性が良い。
【０００５】
また、色温度についても、ＨＩＤランプ、電球、蛍光ランプを考慮した場合には、ＨＩＤランプや、３波長形蛍光ランプと同レベルの演色性、例えば平均演色評価数Ｒａ８３や、さらに高演色性の平均演色評価数Ｒａ９０仕様において、各種色温度３０００Ｋから６７００Ｋまでのラインナップが必要とされる。
【先行技術文献】
【特許文献】
【０００６】
【特許文献１】特開２００１−１４８５１６号公報
【発明の概要】
【発明が解決しようとする課題】
【０００７】
しかしながら、ＬＥＤでは、色温度および平均演色評価数を規定値に設定しても、使用している間に当該色温度および平均演色評価数が変化することがあり、蛍光ランプ等と同等レベルの特性を維持することができにくくなることが分かってきた。
【０００８】
そこで、本発明では、ＬＥＤ使用時において使用時において所望の色温度および平均演色評価数から外れにくい照明装置を提供することを目的としている。
【課題を解決するための手段】
【０００９】
請求項１記載の発明は、青色光を放射する発光素子と、前記青色光と加色混光して、規定値の色温度よりも低い色温度となるとともに黒体輻射の軌跡からの偏差（ｄｕｖ）がプラス（＋）となるように黄色蛍光体および赤色蛍光体を混合することを特徴とする。
【００１０】
また、請求項２記載の照明装置は、請求項１記載の照明装置において、前記規定値の色温度よりも低い色温度および偏差（ｄｕｖ）のプラス（＋）は規定値の色温度に応じて異なることを特徴とする。
【００１１】
また、請求項３記載の照明装置は、青色光を放射する発光素子と；発光素子から放射された青色光によって励起されて黄色光を発光する黄色蛍光体と；発光素子から放射された青色光によって励起されて赤色光及び／又は緑色光を発光する第二蛍光体と；発光素子から放射された青色光、黄色蛍光体から発光された黄色光及び第二蛍光体から発光された放射光により色温度が２８００Kから７２００Kの範囲における所定色温度で設定される白色光と：を備える照明装置であって、前記白色光は、発光素子のジャンクション温度がプラス側へ変化すると色温度もプラス側に変化するように設けられ、かつ、前記白色光は、発光素子のジャンクション温度がプラス側へ変化すると黒体放射の軌跡からの偏差はマイナス側に変化するように設けられ、さらに、前記白色光は、発光素子のジャンクション温度が０度以上の任意値であるときに前記所定色温度となるように設けられることを特徴とする。
【００１２】
本発明及び以下の発明において、特に指定しない限り用語の定義および技術的意味は次による。
【００１３】
青色光を放射する発光素子は、主波長が４２０〜４８０ｎｍ（例えば４６０ｎｍ）の青色光を放射し、放射した青色光により蛍光体を励起して可視光を発光させるものである。本発明で用いられる青色光を放射する発光素子としては、例えば、青色発光タイプのＬＥＤチップなどが挙げられるが、これに限定されるものではない。
【００１４】
蛍光体は、発光素子から放射された青色光により励起されて所定の可視光を発光し、この可視光と発光素子から放射される青色光との加色混光によって、照明装置として所望の発光色を得るものである。本発明では、黄色蛍光体および赤色蛍光体について、規定値の色温度よりも低い色温度であるとともに黒体輻射の軌跡からの偏差（ｄｕｖ）がプラス（＋）となるように混合すればよい。また、発光効率を向上させるためには、比視感度が良好な緑色発光の蛍光体を使用しても良い。例えば、波長５１０〜５３０ｎｍの範囲に発光ピークを有する緑色蛍光体と、波長６２０〜６５０ｎｍの範囲に発光ピークを有する赤色蛍光体と、波長５５５±１０ｎｍの範囲に発光ピークを有する黄色蛍光体の計３種類の蛍光体を混合して使用することができる。この場合、これら３種類の蛍光体の種類および配合割合は、照明装置からの発光の平均演色評価数Ｒａが高く、かつ高い発光効率が得られるように調整される。
【００１５】
また、黄色蛍光体と緑色蛍光体とを組合わせることもできるものであるため、請求項２に記載の「第二蛍光体」とは赤色蛍光体又は緑色蛍光体のいずれか一方であることも含むし、赤色蛍光体と緑色蛍光体とを混合する状態も含むものである。
【００１６】
また「ジャンクション温度」とは、発光素子の所定箇所の温度を示すものであるが、この温度検出は、当該箇所の検出を直接行なえるならばその値であり、例えば当該箇所の検出が直接行なえない場合には、使用時のジャンクション温度を予測して間接的にジャンクション温度を検出する方法により値を確認する方法でもよい。したがって、発光素子が発光する状態で発光素子のジャンクション温度と規定した概念を用いて確認又は推定することができれば適宜に定義できるものである。
【００１７】
また、本発明において、ジャンクション温度が上昇すると、総じて各蛍光体の温度も上昇する傾向にあるため、本発明を実現する上で、ジャンクション温度を用いて色温度の設定をすることも有効である。
【００１８】
また、ピーク波長が５１０〜５３０ｎｍの緑色蛍光体と６２０〜６５０ｎｍの赤色蛍光体と５５５±１０ｎｍの黄色蛍光体を混合した蛍光体を使用する場合には、温度による発光ピーク強度の変化の度合いを、蛍光体の温度特性を表す指標（温度特性指標）として使用し、この指標の値が近い、すなわち温度特性指標の差が一定の値以下となるように蛍光体を組み合わせて配合することが好ましい。具体的には、各色の蛍光体のうちで、発光ピーク強度の温度による変化が最も小さい蛍光体の発光ピーク強度比（所定の温度例えば８０℃における発光ピーク強度ａ／常温における発光ピーク強度ａ０）をＡ、発光ピーク強度の温度による変化が最も大きい蛍光体の発光ピーク強度比（所定の温度例えば８０℃における発光ピーク強度ｂ／常温における発光ピーク強度ｂ０）をＢとするとき、ＡおよびＢを温度特性指標として用い、これらの値の差（Ａ−Ｂ）を、温度８０℃で０．１５以下（１５％以下）、温度１００℃で０．２以下（２０％以下）、温度１２０℃で０．３以下（３０％以下）、温度１７０℃で０．３５以下（３５％以下）にすることが好ましい。なお、発光ピーク強度比を求める基準の温度である常温は、２０〜３０℃の範囲で適宜設定した温度である。
【００１９】
そして、このように発光ピーク強度比の差（Ａ−Ｂ）が前記値以下である蛍光体を組み合わせて配合することにより、温度変化により生じる発光色（色温度および平均演色評価数Ｒａ）の変化を抑えることができる。
【００２０】
ここで、偏差（ｄｕｖ）は、照明装置からの発光（白色光）の色ずれを、色度図における黒体輻射の軌跡からの偏差として表したものである。蛍光体温度により蛍光体の発光色が変化するものであり、例えば、緑色蛍光体（例えばピーク波長５２０ｎｍ）と赤色蛍光体（例えばピーク波長６５０ｎｍ）と黄色蛍光体（例えばピーク波長５５５ｎｍ）を使用した場合には、温度による発光色度の変化は、緑色蛍光体が最も大きく、蛍光体温度が上昇すると発光色度はＣＩＥ色度図のｘ値およびｙ値が低下する方向（青色光の色度に向かう方向）に変化する。
【００２１】
そして、このような緑色蛍光体の発光色の変化により、前記３色の蛍光体が混合された蛍光体層を有するＬＥＤランプから発せられる白色光の色度は、色温度が上昇し偏差（ｄｕｖ）の値が減少する方向にシフトする。したがって、初期の色温度を規定値より低めに設定し、かつ偏差（ｄｕｖ）の値をプラス（＋）側で０．００３ないし０．００５に設定することにより、蛍光体の温度が上昇したときに、所望の色温度で偏差（ｄｕｖ）の値が０あるいは０に極めて近い白色光、すなわち色ずれのない白色光を得ることができる。そして、規定値の色温度よりも低い色温度および偏差（ｄｕｖ）のプラス（＋）は規定値の色温度に応じて異なるものであり、例えば、次のように異なるものである。
【００２２】
色温度３０００Ｋの場合は、色温度の規定値は３０４５±１７５Ｋ（高色温度側３２２０Ｋ、低色温度側２８７０Ｋ）、偏差（ｄｕｖ）は０．０００±０．００６（プラス（＋）側０．００６、マイナス（−）側−０．００６）となる。
【００２３】
色温度４０００Ｋの場合は、色温度の規定値は３９８５±２７５Ｋ（高色温度側４２６０Ｋ、低色温度側３７１０Ｋ）、偏差（ｄｕｖ）は０．００１±０．００６（プラス（＋）
【００２４】
側０．００７、マイナス（−）側−０．００５）となる。 
【００２５】
色温度５０００Ｋの場合は、色温度の規定値は５０２８±２８３Ｋ（高色温度側５３１１Ｋ、低色温度側４７４５Ｋ）、偏差（ｄｕｖ）は０．００２±０．００６（プラス（＋）
【００２６】
側０．００７、マイナス（−）側−０．００４）となる。 
【００２７】
色温度６５００Ｋの場合は、色温度の規定値は６５３０±５１０Ｋ（高色温度側７０４０Ｋ、低色温度側６０２０Ｋ）、偏差（ｄｕｖ）は０．００３±０．００６（プラス（＋）
【００２８】
側０．００９、マイナス（−）側−０．００３）となる。
【００２９】
したがって、本発明においては、色温度３０００Ｋの場合は、色温度の規定値の色温度
【００３０】
３０００Ｋよりも低い色温度である２８７０Ｋ以上、偏差（ｄｕｖ）はプラス（＋）側で
【００３１】
ある０．００６以下となるように、黄色蛍光体および赤色蛍光体を混合するのが好適である。なお、他の色温度についても同様に考えられる。
【００３２】
また、本発明においては、上記で説明した蛍光体の温度における色温度の変化、偏差の特性は、照明装置として使用した場合のジャンクション温度（推定ジャンクション温度を含む）の温度変化に伴う特性変化も同様であるため、例えば任意値のジャンクション温度を６０度とした場合に所定の色温度となるように各蛍光体の割合を設定すればよい。
【発明の効果】
【００３３】
請求項１または２記載の照明装置によれば、ＬＥＤ使用時において規定の色温度および平均演色評価数から外れにくくすることができる。
【００３４】
請求項３記載の照明装置によれば、ＬＥＤの使用時において、所望の色温度及び平均演色評価数にすることが容易となる。
【図面の簡単な説明】
【００３５】
【図１】本発明の照明装置をＬＥＤランプに適用した一実施形態の構成を示す断面図である。
【図２】図１に示すＬＥＤランプを複数配置したＬＥＤモジュールの一例を示す平面図である。
【図３】図２のＡ−Ａ´線断面図である。
【図４】緑色蛍光体と赤色蛍光体および黄色蛍光体について、発光ピーク強度比を各温度で求めた結果を示すグラフである。
【図５】緑色蛍光体と赤色蛍光体および黄色蛍光体について、蛍光体温度を室温から２００℃まで変化させたときの発光色度の変化を示すグラフである。
【図６】図１に示すＬＥＤランプの使用状態における色温度の温度特性を示すグラフである。
【発明を実施するための形態】
【００３６】
以下、本発明を実施するための形態について、図面を参照して説明する。図１は、本発明の照明装置をＬＥＤに適用した一実施形態の構成を示す断面図、図２は、図１に示すＬＥＤランプの複数個を、例えば一平面上に３行３列のマトリックス状に配置した照明装置としてのＬＥＤモジュールの一例を示す平面図、図３は、図２のＡ−Ａ´線断面図である。 
【００３７】
図１に示すＬＥＤランプ１は、発光素子として、青色発光タイプのＬＥＤチップ２を有している。このＬＥＤチップ２は、回路パターン３を有する基板４上に搭載されている。
【００３８】
基板４は、放熱性と剛性を有するアルミニウム（Ａｌ）やニッケル（Ｎｉ）、ガラスエポキシ樹脂などから成る平板が用いられ、この基板４上に電気絶縁層５を介して陰極側と陽極側の回路パターン３がそれぞれ形成されている。回路パターン３は、ＣｕとＮｉの合金やＡｕなどから構成されている。
【００３９】
そして、ＬＥＤチップ２の底面電極が一方の電極側の回路パターン３の上に配置されて電気的に接続され、上面電極が他方の電極側の回路パターン３に、金線のようなボンディングワイヤ６を介して電気的に接続されている。ＬＥＤチップ２の電極接続構造としては、フリップチップ接続構造を適用することもできる。これらの電極接続構造によれば、ＬＥＤチップ２の前面への光取出し効率が向上する。
【００４０】
基板４上には、凹部７を有する樹脂製などのフレーム８が設けられている。凹部７を有するフレーム８は、例えばＰＢＴ（ポリブチレンテレフタレート）、ＰＰＡ（ポリフタルアミド）、ＰＣ（ポリカーボネート）などの合成樹脂から構成され、凹部７内にＬＥＤチップ２が配置され、収容されている。そして、ＬＥＤチップ２が収容された凹部７内には、波長５１０〜５３０ｎｍの範囲に発光ピークを有する緑色蛍光体と、波長６２０〜６５０ｎｍの範囲に発光ピークを有する赤色蛍光体と、波長５５５±１０ｎｍの範囲に発光ピークを有する黄色蛍光体との計３種類の蛍光体を、透明樹脂に混合し分散させた蛍光体含有樹脂が塗布・充填されており、ＬＥＤチップ２はこのような蛍光体含有樹脂層９により覆われている。透明樹脂としては、例えばシリコーン樹脂やエポキシ樹脂などが用いられる。
【００４１】
緑色蛍光体は、例えばＲＥ３（Ａｌ，Ｇａ）５Ｏ１２：Ｃｅ蛍光体（ＲＥは、Ｙ、ＧおよびＬａから選ばれる少なくとも１種を示す。）などのＹＡＧ蛍光体、ＡＥ２ＳｉＯ４：Ｅｕ蛍光体（ＡＥは、Ｓｒ、Ｂａ、Ｃａなどのアルカリ土類元素を示す。）やＣａ３Ｓｃ２Ｓｉ３Ｏ１２：Ｃｅ蛍光体などのケイ酸塩蛍光体、サイアロン系蛍光体（例えば、ＣａXＳｉｙＡｌZＯＮ：Ｅｕ２＋）、およびＣａ３Ｓｃ２Ｏ４：Ｃｅ蛍光体などの中から選択される。
【００４２】
赤色蛍光体としては、Ｌａ２Ｏ２Ｓ：Ｅｕ蛍光体のような酸硫化物蛍光体、窒化物系蛍光体（例えば、ＡＥ２Ｓｉ５Ｎ８：Ｅｕ２＋やＣａＡｌＳｉＮ３：Ｅｕ２＋）などが用いられるが、特に限定されるものではない。
【００４３】
黄色蛍光体は、例えばＲＥ３（Ａｌ，Ｇａ）５Ｏ１２：Ｃｅ蛍光体（ＲＥは、Ｙ、ＧｄおよびＬａから選ばれる少なくとも１種を示す。）などのＹＡＧ蛍光体、（Ｔｂ，Ａｌ）５Ｏ１２：Ｃｅ蛍光体などのＴＡＧ蛍光体、サイアロン系蛍光体（例えば、ＣａＸＳｉＹＡｌＺＯＮ：Ｅｕ２＋）、ＡＥ２ＳｉＯ４：Ｅｕ蛍光体（ＡＥは、Ｓｒ、Ｂａ、Ｃａなどのアルカリ土類元素を示す。）やＳｒ３Ｓｉ３Ｏ５：Ｅｕ２＋蛍光体などのケイ酸塩蛍光体などの中から、蛍光体の特性や用途に応じて選択される。各黄色蛍光体の特性としては、ＹＡＧ蛍光体は、青色光により励起されて得られる発光スペクトルのピークは高くなるが、半値幅が広く（ブロードな発光ピークとなり）、全体としての発光効率はやや低下する可能性があるので、発光効率の点ではＴＡＧ蛍光体、サイアロン系蛍光体およびケイ酸塩蛍光体が好ましい。すなわち、ＴＡＧ蛍光体、サイアロン系蛍光体およびケイ酸塩蛍光体は、発光スペクトルの半値幅が狭く、発光効率が良好である。なお、ＹＡＧ蛍光体は、湿度に対する発光効率などの変化が小さい点で好ましく、サイアロン系蛍光体などの窒化物系蛍光体は、温度に対する発光効率などの変化が小さい点で好ましい。
【００４４】
ＬＥＤランプ１では、印加された電気エネルギーがＬＥＤチップ２で主波長が４２０〜４８０ｎｍ（例えば４６０ｎｍ）の青色光に変換されて放射され、放射された青色光は、蛍光体含有樹脂層９中に含有された緑色蛍光体と赤色蛍光体と黄色蛍光体の計３種類からなる蛍光体で、より長波長の光に変換される。そして、ＬＥＤチップ２から放射される青色光とこれらの蛍光体の発光色とに基づく色である白色光がＬＥＤランプ１から放出される。
【００４５】
そして、ＬＥＤランプ１においては、蛍光体からの発光スペクトルが、波長５１０〜５３０ｎｍの範囲の発光ピークおよび波長６２０〜６５０ｎｍの範囲の発光ピークとともに、従来のＬＥＤランプ１の発光スペクトルには存在しなかった、比視感度が非常に高い主波長が５５０±１０ｎｍの発光ピークを有しているので、エネルギー変換効率が高いため、発光効率を向上させることができる。
【００４６】
さらに、ピーク波長が５１０〜５３０ｎｍの緑色蛍光体と６２０〜６５０ｎｍの赤色蛍光体と５５５±１０ｎｍの黄色蛍光体を混合した蛍光体を使用する実施形態において、各色の蛍光体のうちで、発光ピーク強度の温度による変化が最も小さい蛍光体と最も大きい蛍光体の発光ピーク強度比Ａ，Ｂ（所定の温度における発光ピーク強度／常温における発光ピーク強度）の差（Ａ−Ｂ）を、温度８０℃で１５％以下、温度１００℃で２０％以下、温度１２０℃で３０％以下、温度１７０℃で３５％以下にすることが好ましい。そして、このように発光ピーク強度比の差（Ａ−Ｂ）が前記値以下である蛍光体を組み合わせて配合することにより、温度が変化することにより生じる発光色（色温度および平均演色評価数Ｒａ）の変化を抑えることができる。
【００４７】
ここで、ピーク波長５２０ｎｍの緑色蛍光体とピーク波長６５０ｎｍの赤色蛍光体、およびピーク波長５５５ｎｍの黄色蛍光体について、前記発光ピーク強度比を各温度で求めた結果を図４に示す。なお、蛍光体の温度は、蛍光体粉体の温度を測定したものであり、蛍光体粉体をヒータで加熱することにより、蛍光体温度を３０℃〜２００℃まで変化させた。また、蛍光体の発光ピーク強度は、発光スペクトルを分光光度計（日本分光社製；ＦＰ−６５００）を用いて測定した。そして、各蛍光体の発光ピーク強度比を、３０℃での発光ピーク強度を１とした相対値として求めた。 
【００４８】
また、蛍光体温度が８０℃、１００℃、１２０℃、１５０℃および１７０℃の各温度において、発光ピーク強度の温度による変化が最も小さい蛍光体である黄色蛍光体の発光ピーク強度比Ａと、発光ピーク強度の温度による変化が最も大きい蛍光体である緑色蛍光体の発光ピーク強度比Ｂとの差（Ａ−Ｂ）を算定した。結果を表１に示す。
【００４９】
【表１】
2009260319.tif 000003
【００５０】
図４に示すグラフおよび表１から、ピーク波長５２０ｎｍの緑色蛍光体とピーク波長６５０ｎｍの赤色蛍光体、およびピーク波長５５５ｎｍの黄色蛍光体とを混合した蛍光体においては、黄色蛍光体の発光ピーク強度比Ａと緑色蛍光体の発光ピーク強度比Ｂとの差（Ａ−Ｂ）が、温度８０℃で１５％以下、温度１００℃で２０％以下、温度１２０℃で３０％以下、温度１７０℃で３５％以下になっており、赤色蛍光体を含めた３色の蛍光体の発光ピーク強度比が一定の範囲内に入り、近似した温度特性を有していることがわかる。そして、このよう温度特性が近似した蛍光体を組み合わせて使用したＬＥＤランプにおいては、温度変化による発光色（色温度および平均演色評価数Ｒａ）の変化を抑えることができる。
【００５１】
さらに、ピーク波長が５１０〜５３０ｎｍの緑色蛍光体と６２０〜６５０ｎｍの赤色蛍光体と５５５±１０ｎｍの黄色蛍光体を混合した蛍光体を使用する実施形態においては、各色の蛍光体の種類（すなわちピーク波長）および配合組成の決定において、照明装置からの白色光が、規定値より低い色温度を有しかつ偏差（ｄｕｖ）の値が＋０．００３〜＋０．００５の範囲になるように調整することが好ましい。
【００５２】
図５は、ピーク波長５２０ｎｍの緑色蛍光体とピーク波長６５０ｎｍの赤色蛍光体、およびピーク波長５５５ｎｍの黄色蛍光体のそれぞれについて、蛍光体温度を室温（３０℃）から２００℃まで変化させたときの発光色度の変化を、ＣＩＥ色度図に示したものである。図５のグラフから分かるように、温度による発光色度の変化は、緑色蛍光体が最も大きく、蛍光体温度が上昇すると発光色度はｘ値およびｙ値が低下する方向（青色光の色度に向かう方向）に大きく変化する。そして、このような緑色蛍光体の発光色度の変化により、前記３色の蛍光体が混合された蛍光体層を有するＬＥＤランプからの発光の色度は、矢印で示すようにシフトする。その結果、ＬＥＤランプ１から発せられる白色光の色温度が上昇し、偏差（ｄｕｖ）の値が減少する。したがって、前述したように、初期の色温度を規定値より低めに設定し、かつ偏差（ｄｕｖ）の値をプラス（＋）側で０．００３〜０．００５の範囲に設定することにより、蛍光体の温度が上昇したときに、所望の色温度を有しかつ偏差（ｄｕｖ）が０あるいは０に極めて近い白色光、すなわち色ずれのない白色光を得ることができる。
【００５３】
さらに、ＬＥＤランプ１において、青色光のピーク波長である４６０ｎｍの発光強度に対する波長５５５±１０ｎｍの発光強度の比Ｃを、色温度が２７５０〜３１５０Ｋで１．２５〜１．４５、色温度が４０００〜４４００Ｋで０．９〜１．０、色温度が４７５０〜５２５０Ｋで０．６〜０．８、色温度が６１５０〜７１５０Ｋで０．３〜０．６の範囲に調整することにより、高い演色性を維持しつつ、より高い発光効率を得ることができる。上記色温度でＣの値が前記範囲を外れた場合には、高演色性で高い発光効率の発光を得ることができない。なお、上記実施形態では、ＬＥＤランプ１をマトリックス状に複数個配置したＬＥＤモジュール２１について説明したが、本発明はこれに限定されるものではなく、例えば複数個のＬＥＤランプ１を１列状に配置して形成してもよく、さらにＬＥＤランプ１は単数でもよい。
【００５４】
また、本実施形態におけるＬＥＤランプ１を実際に点灯した状態の概念を図６に示す。図６は、ＬＥＤランプ１のジャンクション温度による特性（色度ｘ、ｙの変化）を示したものである。
【００５５】
ＬＥＤランプ１は、ジャンクション温度が低温から高温へと変化すると、色温度がプラス側へ変化するものであるが、黒体放射の軌跡からの偏差の特性は、ジャンクション温度が低温から高温へ変化すると、マイナス側へ変化するものである。
【００５６】
したがって、本実施形態の場合には、ＬＥＤランプ１のジャンクション温度が６０度の場合に所定の色温度に対する規格のセンターとなるように設定しているものである。なお、このジャンクション温度は、ＬＥＤランプ１を照明装置として通常使用したと仮定した場合の温度であるが、本実施形態のジャンクション温度は、点灯状態のジャンクション温度を間接的に検出する方法により値を設定する方法でもよいし、直接的に検出できる場合には、その値により設定する方法でもよく、ジャンクション温度の設定方法については、特に限定しないものである。
【符号の説明】
【００５７】
１…ＬＥＤランプ、２…ＬＥＤチップ、３…回路パターン、４…基板、６…ボンディングワイヤ、７…凹部、８…フレーム、９…蛍光体含有樹脂層
【図１】
2009260319.tif 000004
【図２】
2009260319.tif 000005
【図３】
2009260319.tif 000006
【図４】
2009260319.tif 000007
【図５】
2009260319.tif 000008
【図６】
2009260319.tif 000009